(57)【要約】【課題】非接触ＩＣカードにより処理が行われたか確認が容易でなかった。たとえば、非接触ＩＣカードに対応する自動改札装置において、非接触ＩＣカードの所持者が自動改札装置を利用した場合、利用者に非接触ＩＣカードを利用したことを認知させる機能がないため、利用者は、正しく利用できているかどうかの判断ができず、特に目が不自由な使用者等にはこの様な動作の確認が容易ではない問題点や、電子マネーで出金の確認ができない問題点を解決した非接触ＩＣカードおよびその動作方法を提供する。【解決手段】外部との通信を行うアンテナと、ＣＰＵと、メモリと、振動素子を有し、特定の動作をＣＰＵが行った場合に振動素子を動作することを特徴とする非接触ＩＣカードおよびその動作方法を提供する。【選択図】  図３
2011028690.tif 000002
【特許請求の範囲】
【請求項１】
外部との通信を行うアンテナと、ＣＰＵと、メモリと、振動素子を有し、特定の動作をＣＰＵが行った場合に振動素子を動作することを特徴とする非接触ＩＣカード。
【請求項２】
前記特定の動作が外部からのアクセス動作であることを特徴とする請求項１記載の非接触ＩＣカード。
【請求項３】
前記特定の動作が特定情報の書き込み動作であることを特徴とする請求項１記載の非接触ＩＣカード。
【請求項４】
前記特定情報が入場記録であることを特徴とする請求項３記載の非接触ＩＣカード。
【請求項５】
前記特定情報が出金記録であることを特徴とする請求項３記載の非接触ＩＣカード。
【請求項６】
前記特定の動作が特定情報の更新動作であることを特徴とする請求項１記載の非接触ＩＣカード。
【請求項７】
前記特定情報が入出場情報であることを特徴とする請求項６記載の非接触ＩＣカード。
【請求項８】
前記特定情報が残高情報であることを特徴とする請求項６記載の非接触ＩＣカード。
【請求項９】
外部との通信を行うアンテナと、ＣＰＵと、メモリと、振動素子を有する非接触ＩＣカードが、特定の信号をアンテナが受信した場合、特定の動作をＣＰＵが行った場合に振動素子を動作することを特徴とする非接触ＩＣカードの動作方法。
【請求項１０】
前記特定の信号が外部からのアクセス動作を求める信号であることを特徴とする請求項９記載の非接触ＩＣカードの動作方法。
【請求項１１】
前記特定の信号が特定情報の書き込み信号であることを特徴とする請求項９記載の非接触ＩＣカードの動作方法。
【請求項１２】
前記特定の信号が入場記録であることを特徴とする請求項１１記載の非接触ＩＣカードの動作方法。
【請求項１３】
前記特定の信号が出金記録であることを特徴とする請求項１１記載の非接触ＩＣカードの動作方法。
【請求項１４】
前記特定の信号が特定情報を更新する信号であることを特徴とする請求項９記載の非接触ＩＣカードの動作方法。
【請求項１５】
前記特定の信号が入出場情報であることを特徴とする請求項１４記載の非接触ＩＣカードの動作方法。
【請求項１６】
前記特定の信号が残高情報であることを特徴とする請求項１４記載の非接触ＩＣカードの動作方法。
【発明の詳細な説明】
【技術分野】
【０００１】
この発明は、例えば、鉄道の駅などの改札口に設置される自動改札装置と無線式記録媒体とからなる改札システムと、上記無線式記録媒体と、この無線式記録媒体の金額情報に基いて物品の取引を行う料金処理装置とからなる非接触ＩＣカードや、電子マネーなどの非接触ＩＣカードおよびその動作方法に係るものである。
【背景技術】
【０００２】
従来、非接触ＩＣカードは、無線通信用アンテナとＣＰＵとを持つ構成が一般的で、非接触ＩＣカードと無線通信を行うことにより非接触ＩＣカードに記録される情報の読取りおよび書込みを行う端末とデータ交信し、何等かの処理を行うのが一般的であった。
【０００３】
例えば、非接触ＩＣカードにより改札処理を行う自動改札装置などに使われている。このような自動改札装置では、非接触ＩＣカードと無線通信を行うことにより非接触ＩＣカードに記録される情報の読取りおよび書込みを行う。また、非接触ＩＣカードとの無線通信により非接触ＩＣカードに記録されている情報を読取ると、自動改札装置は通行の許可不許可を判断する。この判断により通行の許可が判断されれば、そのまま通過が可能であるが、通行の不許可が判断された場合は、自動改札装置に設けられている扉を閉めて利用者の通行を阻止するとともに、表示部や音声などにより通行が不許可である旨を案内して利用者に認識させる。
【０００４】
しかしながら、そのような、非接触ＩＣカードにより処理が行われたか確認が容易でなかった。上記改札処理の例で示せば、非接触ＩＣカードに対応する自動改札装置において、非接触ＩＣカードの所持者（利用者）が自動改札装置を利用した場合、利用者に非接触ＩＣカードを利用したことを認知させる機能がないため、利用者は、正しく利用できているかどうかの判断ができない。
【０００５】
そこで非接触ＩＣカードにより処理が行われた場合、上記改札処理の例で示せば、非接触ＩＣカードにより改札処理を行った場合に、利用者が利用内容を簡単に確認できないという欠点を除去したもので、非接触ＩＣカードの利用内容を簡単に確認することができる方法として、無線通信用アンテナとＣＰＵと表示部を持つ構成とし、非接触ＩＣカードと無線通信を行うことにより非接触ＩＣカードに記録される情報の読取りおよび書込みを行う端末とデータ交信し、何等かの処理を行った場合、その処理の内容を表示部で表示する特許文献１の様な技術が開示されている。
【０００６】
すなわち、複数の機能を有する改札情報が記録される非接触ＩＣカードと、この非接触ＩＣカードとの無線通信により改札処理を行う自動改札装置が、非接触ＩＣカードとの無線通信を行う通信手段、この通信手段により非接触ＩＣカードから改札情報を受信し、受信した改札情報に基いて改札処理を行い、これにより改札処理を実行した後に、改札処理を行った機能を示す情報を通信手段により非接触ＩＣカードに送信された情報を受信した際に、受信した情報に基いて上記自動改札装置にて利用した機能が何かを区別して表示する表示手段を備えた構成が開示されている。
【先行技術文献】
【特許文献】
【０００７】
【特許文献１】特開２０００−２５９８６９号公報
【発明の概要】
【発明が解決しようとする課題】
【０００８】
しかし、上記特許文献１記載の発明では、その利用する動作を確認する方法として表示手段による表示に頼っている。
【０００９】
これでは、目が不自由な使用者等にはこの様な動作の確認が容易ではないという欠点があった。
【００１０】
また、健常者の場合でも、動作の確認、例えば改札処理が確実に行われたか否かをいちいち確認するのは面倒であり、例えば、改札処理の様な場合の連れ添い入場の様な場合において、どの利用者の非接触ＩＣカードの処理が適正に行われ、どの利用者の非接触ＩＣカードの処理が適正に行われなかったかどうかの判断が容易でなく、利用者、例えば入退場者だけでなく、交通機関の様なシステム運営者にとってもこのことは好ましいことではなかった。
【課題を解決するための手段】
【００１１】
本発明における請求項１記載の発明では、前記課題を解決するため、まず、請求項１では、外部との通信を行うアンテナと、ＣＰＵと、メモリと、振動素子を有し、特定の動作をＣＰＵが行った場合に振動素子を動作することを特徴とする非接触ＩＣカードを提供するものである。
【００１２】
また、請求項２記載の発明では、前記特定の動作が外部からのアクセス動作であることを特徴とする請求項１記載の非接触ＩＣカードを提供するものである。
【００１３】
また、請求項３記載の発明では、前記特定の動作が特定情報の書き込み動作であることを特徴とする請求項１記載の非接触ＩＣカードを提供するものである。
【００１４】
また、請求項４記載の発明では、前記特定情報が入場記録であることを特徴とする請求項３記載の非接触ＩＣカードを提供するものである。
【００１５】
また、請求項５記載の発明では、前記特定情報が出金記録であることを特徴とする請求項３記載の非接触ＩＣカードを提供するものである。
【００１６】
また、請求項６記載の発明では、前記特定の動作が特定情報の更新動作であることを特徴とする請求項１記載の非接触ＩＣカードを提供するものである。
【００１７】
また、請求項７記載の発明では、前記特定情報が入出場情報であることを特徴とする請求項６記載の非接触ＩＣカードを提供するものである。
【００１８】
また、請求項８記載の発明では、前記特定情報が残高情報であることを特徴とする請求項６記載の非接触ＩＣカードを提供するものである。
【００１９】
また、請求項９記載の発明では、外部との通信を行うアンテナと、ＣＰＵと、メモリと、振動素子を有する非接触ＩＣカードが、特定の信号をアンテナが受信した場合、特定の動作をＣＰＵが行った場合に振動素子を動作することを特徴とする非接触ＩＣカードの動作方法を提供するものである。
【００２０】
また、請求項１０記載の発明では、前記特定の信号が外部からのアクセス動作を求める信号であることを特徴とする請求項９記載の非接触ＩＣカードの動作方法を提供するものである。
【００２１】
また、請求項１１記載の発明では、前記特定の信号が特定情報の書き込み信号であることを特徴とする請求項９記載の非接触ＩＣカードの動作方法を提供するものである。
【００２２】
また、請求項１２記載の発明では、前記特定の信号が入場記録であることを特徴とする請求項１１記載の非接触ＩＣカードの動作方法を提供するものである。
【００２３】
また、請求項１３記載の発明では、前記特定の信号が出金記録であることを特徴とする請求項１１記載の非接触ＩＣカードの動作方法を提供するものである。
【００２４】
また、請求項１４記載の発明では、前記特定の信号が特定情報を更新する信号であることを特徴とする請求項９記載の非接触ＩＣカードの動作方法を提供するものである。
【００２５】
また、請求項１５記載の発明では、前記特定の信号が入出場情報であることを特徴とする請求項１４記載の非接触ＩＣカードの動作方法を提供するものである。
【００２６】
また、請求項１６記載の発明では、前記特定の信号が残高情報であることを特徴とする請求項１４記載の非接触ＩＣカードの動作方法を提供するものである。
【発明の効果】
【００２７】
本発明により、請求項１では、目が不自由な使用者等にとっても、特定の動作の確認が容易になった非接触ＩＣカードを提供することが可能になった効果がある。
【００２８】
また、健常者の場合でも、動作の確認、例えば改札処理が確実に行われたか否かをいちいち画面を見て確認することを要せず、例えば、改札処理の様な場合の連れ添い入場の様な場合において、どの利用者の非接触ＩＣカードの処理が適正に行われ、どの利用者の非接触ＩＣカードの処理が適正に行われなかったかどうかの判断が画面を見なくとも容易に判断でき、利用者、例えば入退場者だけでなく、交通機関の様なシステム運営者にとってもこのことは好ましい構成となった非接触ＩＣカードを提供することが可能になった効果がある。
【００２９】
請求項２では、実際にこの様なアクセス動作があったかどうかの判断が画面を見なくとも容易に判断でき、利用者の意図しない不正アクセスが発生した様な現象が起きていることを迅速に確認できるような構成となった非接触ＩＣカードを提供することが可能になった効果がある。
【００３０】
請求項３では、特定情報の書込みがあったかどうかの判断が画面を見なくとも容易に判断でき、利用者の意図しない非接触ＩＣカードの内部情報の改竄行為が発生した様な現象が起きていることを迅速に確認できるような構成となった非接触ＩＣカードを提供することが可能になった効果がある。
【００３１】
請求項４では、非接触ＩＣカードに入場記録がされたかどうかの判断が画面を見なくとも容易に判断でき、利用者の入場記録の欠如が遠く離れた駅の出場する場面において発覚する様なことが起きないように、その入場時点にて迅速に確認できるような構成となった非接触ＩＣカードを提供することが可能になった効果がある。
【００３２】
請求項５では、非接触ＩＣカードに出金記録がされたかどうかの判断が画面を見なくとも容易に判断でき、不正出金を迅速に確認できるような構成となった非接触ＩＣカードを提供することが可能になった効果がある。
【００３３】
請求項６では、特定情報の更新があったかどうかの判断が画面を見なくとも容易に判断
でき、利用者の意図しない非接触ＩＣカードの内部情報の改竄行為が発生した様な現象が起きていることを迅速に確認できるような構成となった非接触ＩＣカードを提供することが可能になった効果がある。
【００３４】
請求項７では、非接触ＩＣカードに入出場記録がされたかどうかの判断が画面を見なくとも容易に判断でき、利用者の入場記録の欠如が遠く離れた駅の出場する場面において発覚する様なことが起きないように、その入場時点にて迅速に確認できるような構成となっただけではなく、利用者の出場記録の欠如が翌日やそれより長い期間を経た場合に初めて発覚する様なことが起きないように、その出場時点にて迅速に確認できるような構成となった非接触ＩＣカードを提供することが可能になった効果がある。
【００３５】
請求項８では、非接触ＩＣカードに残高変更がされたかどうかの判断が画面を見なくとも容易に判断でき、利用者の電子マネーを使用する場面において発覚する様なことが起きないように、その残高変更の時点にて迅速に確認できるような構成となった非接触ＩＣカードを提供することが可能になった効果がある。
【００３６】
請求項９では、目が不自由な使用者等にとっても、特定の動作があったことを確実に伝達できる非接触ＩＣカードの動作方法を提供することが可能になった効果がある。
【００３７】
また、健常者の場合でも、動作の確認、例えば改札処理が確実に行われたか否かをいちいち画面を見て確認することを要せず、例えば、改札処理の様な場合の連れ添い入場の様な場合において、どの利用者の非接触ＩＣカードで信号を受信され、どの利用者の非接触ＩＣカードの信号が受信されなかったかどうかの判断が画面を見なくとも容易に判断でき、利用者、例えば入退場者だけでなく、交通機関の様なシステム運営者にとってもこのことは好ましい構成となった非接触ＩＣカードの動作方法を提供することが可能になった効果がある。
【００３８】
請求項１０では、実際にこの様なアクセス信号があったかどうかの判断が画面を見なくとも容易に判断でき、利用者の意図しない不正アクセスにより情報の漏洩等が発生した可能性があるかないかを迅速に確認できるような構成となった非接触ＩＣカードの動作方法を提供することが可能になった効果がある。
【００３９】
請求項１１では、特定情報の書込み信号があったかどうかの判断が画面を見なくとも容易に判断でき、利用者の意図しない非接触ＩＣカードの内部情報の改竄行為を迅速に確認できるような構成となった非接触ＩＣカードの動作方法を提供することが可能になった効果がある。
【００４０】
請求項１２では、非接触ＩＣカードが入場記録を受信されたかどうかの判断が画面を見なくとも容易に判断でき、利用者の入場記録の欠如が遠く離れた駅の出場する場面において発覚する様なことが起きないように、その入場記録を受信した時点にて迅速に確認できるような構成となった非接触ＩＣカードの動作方法を提供することが可能になった効果がある。
【００４１】
請求項１３では、非接触ＩＣカードが出金記録を受信されたかどうかの判断が画面を見なくとも容易に判断でき、利用者の気づかない出金記録の発生が発覚する様なことが起きないように、その出金記録を受信した時点にて迅速に確認できるような構成となった非接触ＩＣカードの動作方法を提供することが可能になった効果がある。
【００４２】
請求項１４では、特定情報の更新信号の受信があったかどうかの判断が画面を即座に容易に判断でき、利用者の意図しない非接触ＩＣカードの内部情報の改竄行為を即座に確認
できるような構成となった非接触ＩＣカードの動作方法を提供することが可能になった効果がある。
【００４３】
請求項１５では、非接触ＩＣカードが入場記録を受信されたかどうかの判断が画面を見なくとも容易に判断でき、利用者の入場記録の欠如が遠く離れた駅の出場する場面において発覚する様なことが起きないように、その入場記録を受信した時点にて迅速に確認できるような構成となっただけではなく、利用者の出場記録の欠如も、その出場時点にて迅速に確認できるような構成となった非接触ＩＣカードの動作方法を提供することが可能になった効果がある。
【００４４】
請求項１６では、非接触ＩＣカードが残高情報が変更されたかどうかの判断が画面を見なくとも容易に判断でき、利用者の知らない不正利用が発覚する様なことが起きないように、その残高情報の変更を受信した時点にて迅速に確認できるような構成となった非接触ＩＣカードの動作方法を提供することが可能になった効果がある。
【図面の簡単な説明】
【００４５】
【図１】非接触ＩＣカードの内部構成を示す図。
【図２】図１とは別な非接触ＩＣカードの内部構成を示す図。
【図３】非接触ＩＣカードの内部の制御系統の構成を示すブロック図。
【図４】非接触ＩＣカードの表示部の表示例を示す図。
【図５】非接触ＩＣカードの表示部の表示例を示す図。
【図６】非接触ＩＣカードの表示部の表示例を示す図。
【図７】自動改札装置の入場処理に対応した非接触ＩＣカードの動作を説明するためのフローチャート。
【図８】自動改札装置の出場処理に対応する非接触ＩＣカードの動作を説明するためのフローチャート。
【図９】料金処理装置の物品の取引処理に対応する非接触ＩＣカードの動作を説明するためのフローチャート。
【図１０】電子マネーにおける出金処理に対応する非接触ＩＣカードの動作を説明するためのフローチャート。
【発明を実施するための形態】
【００４６】
以下、この発明の実施の形態について図面を参照して説明する。
【００４７】
図１は、この実施の形態に係わる非接触ＩＣカード１００の概観を概略的に示す図である。
【００４８】
この非接触ＩＣカード１００にはシステムＬＳＩ１１が埋設されており、このシステムＬＳＩ１１はループアンテナ１４と小型モーター１２が接続されており、これらの動作はシステムＬＳＩ１１で行い、ループアンテナ１４を介して外部と無線通信可能であるとともに、外部から給電可能である。
【００４９】
このシステムＬＳＩ１１は、ＣＰＵ、ＲＯＭ、ＲＡＭ、受信回路、送信回路、受電部の各機能を実現する。
【００５０】
図２は、図１とは異なる、この実施の形態に係わる非接触ＩＣカード１００の概観を概略的に示す図である。
【００５１】
この非接触ＩＣカード１００にはシステムＬＳＩ１１が埋設されており、このシステムＬＳＩ１１はループアンテナ１４と小型モーター１２と電池１３と表示装置（図示せず）
が接続されており、これらの動作はシステムＬＳＩ１１で行い、ループアンテナ１４を介して外部と無線通信可能であるとともに、電池から給電可能である。
【００５２】
図３は、非接触ＩＣカード１００の内部構成を示すブロック図である。すなわち、非接触ＩＣカード１００は、ＣＰＵ１０２、ＲＯＭ１０４、ＲＡＭ１０６、受信部１０８、送信部１１０、受電部／電池部１１２、操作部１１４、表示器１１６、振動素子１１８を備えている。
【００５３】
上記ＣＰＵ１０２は、非接触ＩＣカード１００の各機器の動作を制御するものある。上記ＲＯＭ１０４は、種々の制御プログラム等が記憶される。上記ＲＡＭ１０６は、自動改札装置１との通信データや利用内容を示すデータ等が記録される。また、ＲＯＭ１０４またはＲＡＭ１０６の何れかに、非接触ＩＣカードごとに付与されるＩＤコードと改札情報とが記録される。例えば、非接触ＩＣカードが定期券と金銭チャージ式カードとの両方の機能を具備するものである場合、改札情報は、定期乗車情報として定期券の利用情報（利用区間、利用期間、購入日等の購入情報）と、金銭チャージ式カードとしての利用情報（購入時の金額、利用した区間、期日の情報、残額情報等の購入／利用情報）とが記録される。
【００５４】
上記受信部１０８は、非接触ＩＣカード１００に対して自動改札装置１から無線データが送信されたとき、そのデータを受信してＣＰＵ１０２、ＲＡＭ１０６等に供給するものであり、外部と通信を行うアンテナと、それに付随する受信回路等からなっている。
【００５５】
また、上記送信部１１０は、ＣＰＵ１０２等で処理したデータを介して自動改札装置１に送信する。上記受電部／電池部１１２は、非接触ＩＣカード１００の各部を動作させる電源として機能する。この受電部／電池部１１２は、例えば、自動改札装置１などから送信される電磁波を受信し、これを受電部／電池部１１２で電力に変換して各部に供給しても良いし、受電部／電池部１１２に電池自体を内蔵させていても良い。
【００５６】
上記操作部１１４は、自動改札装置１との無線通信を制御するための操作を行うものである。この操作部１１４は、例えば、電源のオン／オフ、通信の可否の設定、非接触ＩＣカードが定期券の情報と金銭チャージ式カードとしての情報を有しているときにいずれか一方の機能を停止させる、たとえば、一方の機能のみのデータでの無線通信を可能にするなどの操作を行う。
【００５７】
また、上記表示部１１６は、ＲＯＭ１０４及びＲＡＭ１０６に記憶されている情報などを表示させたり、上記操作部１１４の操作により選択されるデータ、若しくは自動改札装置１との通信による処理結果を表示するものである。この表示部１１６は、受電部／電池部１１２から供給される電源により駆動され、上記受電部／電池部１１２に電池が内蔵される場合などにはその電池からの電源供給により表示内容を表示する。また、表示部１１６は、受電部／電池部１１２が自動改札装置１などの処理装置から送信される電磁波を電力に変換して供給する場合などには一旦表示した内容をそのまま保持する性質を有する表示器を用いても良い。
【００５８】
また、専用の読取端末を利用して非接触ＩＣカード１００のＲＡＭ１０６などに記録されている情報を表示することもできる。この場合、専用の読取端末の形態としては、駅等に設置するものから、簡易ＩＣカード読取装置の様に、携帯可能な携帯型の小型のもので利用者が容易に利用できるものもある。このような読取端末を利用する場合、記録内容や処理内容などの情報を読取端末装置に設けられている表示部に表示したり、読取端末装置により駆動する非接触ＩＣカード１００の表示部１１６に表示させるという表示方法がある。
【００５９】
振動素子１１８については、種々な振動素子を用いることができる。例えば、小型モーターなどが利用可能である。
【００６０】
次に、非接触ＩＣカード１００の一例として定期券の機能と金銭チャージ式カードの機能とを併せ持つ非接触ＩＣカードについて図４、図５、図６に示す外観図を参照して説明する。
【００６１】
非接触ＩＣカード１００の表示部１１６は、金銭チャージ式カードの機能と定期券の機能とを持った非接触ＩＣカード１００において利用状況に合わせて表示内容を変化させる。この表示内容は、駅構内ヘの入場時あるいは出場時などに自動改札装置１との無線通信を行った際に、通信内容に基づく利用状況に合わせて表示を変化させる。つまり、表示部１１６に表示する表示内容は自動改札装置１との無線通信において、定期券の有効区間内の駅で使用した場合に、定期券として利用していることを確認できる内容とし、定期券の有効区間外で使用した場合に、金銭チャージ式カードとして利用していることを確認できる内容とする。
【００６２】
図４に示す非接触ＩＣカード１００の例では、非接触ＩＣカード１００に定期券情報（利用区間）及び金銭チャージ情報（３，０００円分のプリペイドカードを購入したと同じ効果を生じさせること）を印刷しておく。そして、振動素子１１８を振動させるとともに、表示部１１６として、定期券の区間および金銭チャージ式カードを示す情報の右側にそれぞれドットタイプの表示器１１６ａ、１１６ｂを設ける。これらの表示器１１６ａ、１１６ｂは、入場時あるいは出場時などに自動改札装置１との通信を行った際に、定期券の区間での利用に対しては、定期券の区間の右側の表示器１１６ａを点灯させ、定期券の区間外で金銭チャージ式カードとしての利用に対しては、チャージ金銭の使用を示す情報の右側に設けられた表示器１１６ｂを点灯させる。
【００６３】
また、非接触ＩＣカード１００の表示部１１６は、図５、図６に示すように、文字などを表示できるＬＥＤ、ＥＣＤ等で構成された表示器であっても良い。この場合、例えば、定期券の有効区間内での利用の際には、図５に示すように、入場時あるいは出場時に自動改札装置との通信により、定期券の利用区間、入場駅および利用日時などを表示させる。
【００６４】
定期券の有効区間外の駅で利用の際には、図６に示すように、金銭チャージ式カードとしての機能の利用として入場駅（あるいは出場駅）名、利用日時、入場時引去額（出場時引去額）、残額などを表示させる。
【００６５】
なお、非接触ＩＣカード１００の表示部１１６に利用内容を表示させる期間は、定期券の利用の場合、および金銭チャージ式カードとしての利用の場合いずれの場合にも、利用者が自動改札装置を通過した後、所定時間内であっても良いし、自動改札装置１で入場してから出場するまでの間であっても良い。
【００６６】
また、他の例として、図５、図６に示すように、非接触ＩＣカード１００にスイッチ１１４ａを設け、このスイッチ１１４ａが押下された際に、非接触ＩＣカード１００の利用履歴を表示する場合に振動素子１１８を振動させるようにしても良い。
【００６７】
この場合、利用履歴は、普段の利用時にはあまり必要のないデータなので、非接触ＩＣカード１００上の操作部１１４に表示を指示するスイッチ１１４ａを設けてスイッチ１１４ａが押下された際に、振動素子１１８を振動させるとともに、表示部１１６に表示させる。
【００６８】
また、列車時刻、終電時刻案内、広告、駅から利用案内、利用時の注意等の駅から利用者への特別な情報提供が必要な場合、自動改札装置による処理後に、非接触ＩＣカード１００に表示データを送信し、この表示データを受信した非接触ＩＣカード１００が表示部１１６に表示データに基づく案内を表示する場合に振動素子１１８を振動させるようにしても良い。
【００６９】
この場合、例えば、自動改札装置１などの非接触ＩＣカード１００を処理する装置において、非接触ＩＣカード１００が利用された場合に、処理が終了した後に、駅から提供される情報を非接触ＩＣカード１００に表示データとして送信するととみに振動素子１１８を振動させる。
【００７０】
次に、自動改札装置による入場処理に対応する非接触ＩＣカード１００における入場時の処理について図７に示すフローチャートを参照しつつ説明する。
【００７１】
すなわち、自動改札装置からの起動信号を受信すると（ステップ３１）、非接触ＩＣカード１００のＣＰＵ１０２は、非接触ＩＣカード１００のＩＤコードを送信部１１０により自動改札装置に送信する（ステップ３２）。これに対応して、自動改札装置から所定時間内にデータ送信要求を受けると（ステップ３３）、ＣＰＵ１０２は、非接触ＩＣカード１００の定期券としての定期乗車情報と金銭チャージ式カードとしての金額情報とを読出し（ステップ３４）、自動改札装置へ送信する（ステップ３５）。この際、所定時間内に自動改札装置からのデータ送信要求が受信できなかった際（ステップ３３、ステップ３４）、処理を終了する。
【００７２】
この後、自動改札装置により通行の許可あるいは不許可が判断され、入場データや通過不可を示すデータなどの処理内容を示すデータを受信すると（ステップ３７）、判断された通行の許可あるいは不許可を認識する（ステップ４０）。通行が許可された場合、振動素子を振動させ（ステップ４１）、不許可の場合その処理をせずにＣＰＵ１０２は、受信データをＲＡＭ１０６などのメモリに書込む（ステップ４２）。
【００７３】
この際、所定時間内にデータを受信できなかった場合（ステップ３７、ステップ３８）、所定時間内にデータ受信した旨の送信状況を示す情報をＲＡＭ１０６などのメモリに記憶する（ステップ３９）。
【００７４】
ＣＰＵ１０２は、上記ステップ４２で受信データをＲＡＭ１０６に書込んだ後、書込み終了データを自動改札装置１へ送信する（ステップ４３）。
【００７５】
ＣＰＵ１０２は、処理内容が定期券の利用か、金銭チャージ式カードとしての利用かを判断する（ステップ４４）。この判断により処理内容が定期券利用の場合、定期券の利用であることを示す情報、あるいは定期券の利用区間や利用日時などの利用内容を表示部１１６に表示する（ステップ４５）。また、金銭チャージ式カードとしての利用であると判断した際、ＳＦカードの利用であることを示す情報、あるいは金銭チャージ式カードとしての利用区間、利用日時、利用金額、残額などの利用内容を表示部１１６に表示する（ステップ４６）。
【００７６】
この表示から一定時間経過した後（ステップ４６）、ＣＰＵ１０２は表示部１１６に表示している表示内容を消去する（ステップ４７）。また、上記表示部１１６による表示を入場時から出場時まで表示させる場合、出場処理が行われるまで表示したままとするようにしても良い。
【００７７】
さらに、表示内容が消去された後に利用者が操作部１１４により再表示を指示する操作
を行った際に（ステップ４８）、ＣＰＵ１０２は利用内容を表示したり、利用履歴などを表示する。
【００７８】
次に、自動改札装置における出場処理に対応する非接触ＩＣカードにおける出場時の処理について図８に示すフローチャートを参照しつつ説明する。
【００７９】
すなわち、自動改札装置からの起動信号を受信すると（ステップ８１）、非接触ＩＣカードのＣＰＵ１０２は、非接触ＩＣカードのＩＤコードを送信部１１０により自動改札装置１に送信する（ステップ８２）。そして、自動改札装置から所定時間内にデータ送信要求を受けると（ステップ８３）、ＣＰＵ１０２は、非接触ＩＣカードの定期券情報と金額情報とを読み出し（ステップ８４）、自動改札装置へ送信する（ステップ８５）。この際、所定時間内に自動改札装置からのデータ送信要求が受信できなかった際（ステップ８６）、処理を終了する。
【００８０】
この後、自動改札装置により出場の許可あるいは不許可が判断され、自動改札装置１から出場データあるいは出場の不許可を示すデータを受信すると（ステップ８７）、ＣＰＵ１０２は、受信したデータをＲＡＭ１０６などのメモリに書込む（ステップ８８）。この際、所定時間内にデータを受信できなかった場合（ステップ８９）、所定時間内にデータを受信できなかった旨の送信状況を示す情報をＲＡＭ１０６などのメモリに記憶する（ステップ９０）。
【００８１】
ここで判断された自動改札装置により出場の許可あるいは不許可か認識する（ステップ９１）。通行が許可された場合、振動素子を振動させ（ステップ９２）、不許可の場合その処理をせずにＣＰＵ１０２は、上記ステップ８９で受信したデータをＲＡＭ１０６に書込んだ後、書込み終了を示す終了データを自動改札装置１へ送信する（ステップ９３）。
【００８２】
さらに、ＣＰＵ１０２は、処理内容が定期券の利用か、金銭チャージ式カードとしての利用か、あるいは定期券と金銭チャージ式カードとしての双方の利用かを判断する（ステップ９４）。この判断により処理内容が定期券の利用の場合、定期券の利用であることを示す情報、あるいは定期券の利用区間や利用日時などの利用内容を表示部１１６に表示する（ステップ９５）。
【００８３】
また、金銭チャージ式カードとしての利用であると判断した際、金銭チャージ式カードとしての利用であることを示す情報、あるいは金銭チャージ式カードとしての利用区間、利用日時、利用金額、残額などの利用内容を表示部１１６に表示する（ステップ９６）。
【００８４】
また、定期券と金銭チャージ式カードとしての双方の利用であると判断した際、定期券と金銭チャージ式カードとの両方の利用であることを示す情報、あるいは定期券の利用区間と金銭チャージ式カードとしての利用区間、利用日時、利用金額、残額などの利用内容を表示部１１６に表示する（ステップ９７）。
【００８５】
この場合、例えば、図４に示すように、定期券の利用を示す表示器１１６ａと金銭チャージ式カードとしての利用を示す表示器１１６ａとからなる表示部１１６の場合、両方の表示器を点灯させる。また、図５、図６に示すように、表示部１１６が文字などの情報を表示するものである場合、定期券の利用区間、金銭チャージ式カードとしての利用区間、利用金額、残額、および利用日時などを表示部１１６に表示させる。
【００８６】
この表示から一定時間経過した後（ステップ９８）、ＣＰＵ１０２は表示部１１６に表示している表示内容を消去する（ステップ９９）。また、上記表示部１１６による表示を入場時から出場時まで表示させる場合には、上記ステップ９７で表示されている内容を消
すようにしても良い。
【００８７】
さらに、表示内容を消去後に利用者が操作部１１４により再表示を指示する操作を行った際に（ステップ１００）、ＣＰＵ１０２は利用内容を表示したり、利用履歴などを表示する。
【００８８】
上記のように、改札処理を行った際に、通行許可された場合、振動素子を振動するようにしたものである。これにより、非接触ＩＣカードの所持者が自動改札装置を利用した場合に、通行許可されたか否かを簡単に認知することが可能となる。
【００８９】
次に、駅などに設置されている売店などで非接触ＩＣカードに記録されている金額情報により物品を取引する取引システムの実施の形態について説明する。
【００９０】
非接触ＩＣカードを用いて駅構内の売店で商品を購入する際の料金処理装置１２０の動作について図９に示すフローチャートを参照しつつ説明する。
【００９１】
非接触ＩＣカードのＣＰＵ１０２は、料金処理装置１２０からの起動信号を受信すると（ステップ１５１）、その応答としてＩＤコードを送信する（ステップ１５２）。
【００９２】
さらに、料金処理装置１２０からのデータ送信要求を受信すると（ステップ１５３）、ＣＰＵ１０２は、非接触ＩＣカードのデータとして定期券情報および金額情報とともに、入場状態である場合には入場データを読み出して、カードのデータとして料金処理装置１２０に送信する（ステップ１５４）。
【００９３】
その後、料金処理装置１２０からの処理結果を受信すると（ステップ１５５）、ＣＰＵ１０２は、その取引内容に応じて、非接触ＩＣカードの金額情報としての残額を変更し（ステップ１５６）、取引内容をＲＡＭ１０６などのメモリに記録する。さらに、ＣＰＵ１０２は、振動素子を振動させる。最後に、ＣＰＵ１０２は、取引内容を表示部１１６に表示して取引処理を終了する。
【００９４】
また、上記例では、入場処理を金銭チャージ式カードとしての機能で行った場合には、物品購入時に物品購入後の残額と、予め設定した一定金額との比較を行い、残額が一定金額以下になるときには取引中止とするようにして振動も行わないこととするが、残額が一定金額以下となる場合であっても取引中止とせずに、出場時に残額が不足する旨の案内表示を料金処理装置１２０の表示部１２５、あるいは非接触ＩＣカードの表示部１１６に表示するようにし、現金等の残額の支払いがあった場合は、決済されたとして振動させるものでも良い。
【００９５】
上記のように、金銭チャージ式カードとしての機能を有する非接触ＩＣカードにより物品の購入による確認を振動により可能とした。これにより、乗車券として利用される非接触ＩＣカードの多様性、利便性を向上することができる。
【００９６】
また、非接触ＩＣカードとしての金銭チャージ式カードとしてで物品購入を行う場合に、非接触ＩＣカードが乗車中である場合に、物品購入後の非接触ＩＣカードの残額が所定の一定金額以下となる場合に、振動しないことにより、出場時に残額が不足する旨を事前に確認するようにした。これにより、物品購入により出場時に残額が不足することを減らすことができる。
【００９７】
次に、電子マネーとして利用する非接触ＩＣカードを用いて、店舗などで非接触ＩＣカードに記録されている残高情報により出金処理をする取引システムの実施の形態について説明する。
【００９８】
非接触ＩＣカードを用いて店舗で商品やサービスを購入する際の動作について図１０に示すフローチャートを参照しつつ説明する。
【００９９】
非接触ＩＣカードのＣＰＵは、レジスターからの起動信号を受信すると（ステップ１６１）、その応答として残高情報を送信する（ステップ１６２）。
【０１００】
その後、レジスターからの出金情報を受信すると（ステップ１６３）、ＣＰＵは、その出金情報に応じて、非接触ＩＣカードの残額情報を変更し（ステップ１６４）、必要に応じて取引履歴をＲＡＭなどのメモリに記録する。さらに、ＣＰＵは、振動素子を振動させる（ステップ１６５）。最後に、ＣＰＵは、出金情報を表示部に表示して電子マネー処理を終了する。
【０１０１】
また、上記例では、電子マネーの出金処理の場合だけ振動する様にしたが、金額チャージ時にも振動させる様にしたり、残額と、出金金額との比較を行い、残額が一定金額以下になるときには取引中止とするようにして振動も行わないこととするが、残額が一定金額以下となる場合であっても出金中止とせずに、出場時に残額が不足する旨の案内表示をレジスターの表示部、あるいは非接触ＩＣカードの表示部に表示するようにし、現金等の残額の支払いがあった場合は、決済されたとして振動させるものでも良い。
【符号の説明】
【０１０２】
１１…システムＬＳＩ
１２…小型モーター
１３…電池
１４…ループアンテナ
１００…非接触ＩＣカード
１０２…ＣＰＵ
１０４…ＲＯＭ
１０６…ＲＡＭ
１０８…受信部
１１０…送信部
１１２…受電部／電池部
１１４…操作部
１１４ａ…スイッチ
１１６…表示部
１１６ａ、ｂ…表示器
１１８…振動素子
１２０…料金処理装置
１２１…ＣＰＵ
１２４…表示部
１２５…無線通信部
１２６…操作部
【図１】
2011028690.tif 000003
【図２】
2011028690.tif 000004
【図３】
2011028690.tif 000005
【図４】
2011028690.tif 000006
【図５】
2011028690.tif 000007
【図６】
2011028690.tif 000008
【図７】
2011028690.tif 000009
【図８】
2011028690.tif 000010
【図９】
2011028690.tif 000011
【図１０】
2011028690.tif 000012